(57)【要約】【課題】本発明は、上記事情に鑑みてなされたものであり、洗濯機の周辺にデッドスペースが生じることを抑制でき、しかも、洗濯機の移動や取り替えに適正に対応することができる建物用の収納棚を提供することを主たる目的とするものである。【解決手段】洗面室１１には、洗濯機１３と対向壁部１７との間に収納棚１４が設置されている。収納棚１４は、第１収納部１４ａと第２収納部１４ｂとを有しており、第２収納部１４ｂは、第１収納部１４ａと洗濯機１３との間に設置されている。洗面室１１の床部１９には、排水トラップ４１が埋め込まれており、洗濯機１３は排水ホース３５を介して排水トラップ４１に接続されている。第１収納部１４ａは、排水トラップ４１と排水ホース３５との接続部分の上方に設置されており、第１収納部１４ａ及び第２収納部１４ｂの各側板部２５には、排水ホース３５を通すための通し部がそれぞれ形成されている。【選択図】      図１
2014161569.tif 000002
【特許請求の範囲】
【請求項１】
床部に設置された洗濯機から延びる排水ホースが、前記床部に埋め込まれた排水設備に接続される建物に適用され、
前記排水設備と前記排水ホースとの接続部分を上方から覆う位置において前記床部に設置される第１収納部と、
前記洗濯機と前記第１収納部との間であって前記第１収納部に横並びの位置において前記床上に設置される第２収納部と、
を備え、
前記第１収納部においては、前記第２収納部側の側面を形成する側板部に、前記排水ホースを通すための第１通し部が設けられており、
前記第２収納部においては、当該第２収納部の両側面を形成する一対の側板部のそれぞれに、前記排水ホースを通すための第２通し部が設けられており、
前記第２収納部における前記第１収納部側の前記第２通し部は、前記第１通し部と連通する位置に配置されていることを特徴とする建物用の収納棚。
【請求項２】
前記第２収納部において、前記一対の側板部に設けられた各第２通し部は、当該側板部の下端から上方に向けて凹んだ切り欠き部とされていることを特徴とする請求項１に記載の建物用の収納棚。
【請求項３】
前記第１収納部及び前記第２収納部は、物品を収納可能な物品スペースをそれぞれ有しており、
前記第１収納部においては、前記排水設備と前記排水ホースとの接続部分を収納する接続スペースが、前記物品スペースの下方に設けられており、
前記第２収納部においては、前記排水ホースを敷設可能なホーススペースが、前記物品スペースの下方に設けられており、
前記第１通し部は、前記接続スペースの側方に配置され、前記第２通し部は、前記ホーススペースの側方に配置されていることを特徴とする請求項１又は２に記載の建物用の収納棚。
【請求項４】
前記第２収納部は、前記第２通し部を閉鎖することが可能な閉鎖体を有していることを特徴とする請求項１乃至３のいずれか１項に記載の建物用の収納棚。
【請求項５】
前記第１収納部は天板を有しており、該天板の上には、前記洗濯機から延びる給水ホースが接続される給水栓が取り付けられていることを特徴とする請求項１乃至４のいずれか１項に記載の建物用の収納棚。
【請求項６】
前記第２収納部を前記第１収納部の上に載せて設置することが可能な構成であり、
前記第２収納部において、前記一対の側板部のうち前記洗濯機側の側板部には、当該第２収納部が前記第１収納部の上に載せられた状態でユーザが手を差し入れて前記給水栓の操作を可能とする差し入れ部分が設けられていることを特徴とする請求項５に記載の建物用の収納棚。
【請求項７】
前記第２収納部には、前記洗濯機の上方に設置可能な棚板が収納されており、当該第２収納部は、前記棚板を前記洗濯機の上方において左右方向に延びた状態で支持する支持部を有していることを特徴とする請求項１乃至６のいずれか１項に記載の建物用の収納棚。
【請求項８】
前記棚板は、互いに回動可能に連結された複数の板部を有しており、各板部は、当該棚板が前記第２収納部に収納されている場合には互いに重なった状態とされており、前記洗濯機の上に設置されている場合には横並びに配置された状態になっていることを特徴とする請求項７に記載の建物用の収納棚。
【発明の詳細な説明】
【技術分野】
【０００１】
本発明は、建物用の収納棚に関するものである。
【背景技術】
【０００２】
住宅等の建物において、洗濯機が洗面室等の居住空間に設置されている場合、その洗濯機は、給水ホースを介して給水栓等の給水設備に接続されているとともに、排水ホースを介して排水トラップ等の排水設備に接続されている。例えば、給水栓が壁部に取り付けられている場合、給水ホースに水を供給する配管が壁内に敷設されると、その分だけ壁厚み寸法が大きくなって居住空間が狭くなることが懸念される。また、排水トラップが床部に設置されている場合、排水トラップを避けて洗濯機を設置することで、排水トラップの上方空間がデッドスペースになることが懸念される。
【０００３】
そこで、洗濯機の隣にキャビネット（収納棚）付きの洗面化粧台を設置し、キャビネットの内部に給水設備や排水設備を設置するという技術が提案されている（例えば特許文献１）。この技術では、キャビネットにおいて引き出しの下方スペースに給水ホースや排水ホースが引き込まれ、その下方スペースにおいて給水ホースが給水設備に接続されているとともに排水ホースが排水設備に接続されている。
【先行技術文献】
【特許文献】
【０００４】
【特許文献１】特開平９−２７１４５１号公報
【発明の概要】
【発明が解決しようとする課題】
【０００５】
しかしながら、収納棚の内部に給水設備や排水設備が設置されている場合、収納棚を移動させるには、給水設備や排水設備についての工事が必要になり、単に収納棚を移動させることが大掛かりな作業になってしまう。また、洗濯機の隣に収納棚が設置されている構成において、収納棚の位置を変更することが困難であるということは、洗濯機の位置を変更することが困難であるということになる。さらに、洗濯機の買い替えなどにより洗濯機が大型化した場合には、その洗濯機を収納棚の隣に設置することができないという不都合が生じてしまう。
【０００６】
本発明は、上記事情に鑑みてなされたものであり、洗濯機の周辺にデッドスペースが生じることを抑制でき、しかも、洗濯機の移動や取り替えに適正に対応することができる建物用の収納棚を提供することを主たる目的とするものである。
【課題を解決するための手段】
【０００７】
以下、上記課題を解決するのに有効な手段等につき、必要に応じて作用、効果等を示しつつ説明する。
【０００８】
第１の発明の建物用の収納棚は、床部に設置された洗濯機から延びる排水ホースが、前記床部に埋め込まれた排水設備に接続される建物に適用され、前記排水設備と前記排水ホースとの接続部分を上方から覆う位置において前記床部に設置される第１収納部と、前記洗濯機と前記第１収納部との間であって前記第１収納部に横並びの位置において前記床上に設置される第２収納部と、を備え、前記第１収納部においては、前記第２収納部側の側面を形成する側板部に、前記排水ホースを通すための第１通し部が設けられており、前記第２収納部においては、当該第２収納部の両側面を形成する一対の側板部のそれぞれに、前記排水ホースを通すための第２通し部が設けられており、前記第２収納部における前記第１収納部側の前記第２通し部は、前記第１通し部と連通する位置に配置されていることを特徴とする。
【０００９】
第１の発明によれば、排水設備と排水ホースとの上方スペースを第１収納部の設置スペースとして有効利用することができる。また、第１収納部と洗濯機との間の隙間スペースを第２収納部の設置スペースとして有効利用することができる。しかも、第１収納部と洗濯機との間から第２収納部を取り除くことで、第１収納部と洗濯機との間の隙間スペースを、新たに洗濯機の設置スペースとして利用することが可能となるため、洗濯機の移動や洗濯機の取り替えを好適に行うことができる。したがって、洗濯機の周辺にデッドスペースが生じることを抑制でき、しかも、洗濯機の移動や取り替えに適正に対応することができる。
【００１０】
第２の発明では、第１の発明において、前記第２収納部において、前記一対の側板部に設けられた各第２通し部は、当該側板部の下端から上方に向けて凹んだ切り欠き部とされている。
【００１１】
第２の発明によれば、第２収納部の移動に際して、第２通し部に排水ホースが通された状態のまま第２収納部が上方に持ち上げられたとしても、排水ホースが第２通し部から下方に離脱するため、排水ホースを排水設備から取り外して第２通し部から引き抜くという作業を行う必要がない。したがって、第２収納部を第１収納部と洗濯機との間から引き出す作業を容易化できる。
【００１２】
第３の発明では、第１又は第２の発明において、前記第１収納部及び前記第２収納部は、物品を収納可能な物品スペースをそれぞれ有しており、前記第１収納部においては、前記排水設備と前記排水ホースとの接続部分を収納する接続スペースが、前記物品スペースの下方に設けられており、前記第２収納部においては、前記排水ホースを敷設可能なホーススペースが、前記物品スペースの下方に設けられており、前記第１通し部は、前記接続スペースの側方に配置され、前記第２通し部は、前記ホーススペースの側方に配置されている。
【００１３】
第３の発明によれば、第１収納部及び第２収納部において、排水ホースが物品スペースを経由せずに接続スペースやホーススペースに直接引き込むことが可能になっている。このため、第２収納部の内部を経由して第１収納部の内部に排水ホースが引き込まれている構成において、第１収納部や第２収納部の各物品スペースに物品を収納する際に、排水ホースが支障となることを回避できる。
【００１４】
第４の発明では、第１乃至第３のいずれかの発明において、前記第２収納部は、前記第２通し部を閉鎖することが可能な閉鎖体を有している。
【００１５】
第４の発明によれば、第２収納部においては第２通し部を閉鎖体により覆い隠すことが可能であるため、第２収納部が第１収納部と洗濯機との間から撤去された後に別の位置に設置された場合に、第２通し部により第２収納部の外観が損なわれることや、埃等が第２通し部を通じて第２収納部の内部に侵入することを抑制できる。
【００１６】
第５の発明では、第１乃至第４のいずれかの発明において、前記第１収納部は天板を有しており、該天板の上には、前記洗濯機から延びる給水ホースが接続される給水栓が取り付けられている。
【００１７】
第５の発明によれば、給水栓の設置スペースを第１収納部の設置スペースとして有効利用することができる。この場合、給水栓が取り付けられていることに起因して第１収納部を移動させることがより一層困難になるが、第２収納部により洗濯機の新たな設置スペースを確保することが可能であるため、洗濯機の移動や洗濯機の取り替えを行う場合に都合が良いことに変わりはない。
【００１８】
第６の発明では、第５の発明において、前記第２収納部を前記第１収納部の上に載せて設置することが可能な構成であり、前記第２収納部において、前記一対の側板部のうち前記洗濯機側の側板部には、当該第２収納部が前記第１収納部の上に載せられた状態でユーザが手を差し入れて前記給水栓の操作を可能とする差し入れ部分が設けられている。
【００１９】
第６の発明によれば、収納棚を第１収納部と第２収納部とを上下に重ねた状態で使用することが可能となる。しかも、この状態でも、第１収納部の天板に設置された給水栓を、第２収納部の差し入れ部分を通じて操作することが可能になっている。したがって、収納棚の使用態様の自由度を高めることができ、しかも、給水栓の使い勝手が悪くなることを回避できる。
【００２０】
第７の発明では、第１乃至第６のいずれかの発明において、前記第２収納部には、前記洗濯機の上方に設置可能な棚板が収納されており、当該第２収納部は、前記棚板を前記洗濯機の上方において左右方向に延びた状態で支持する支持部を有している。
【００２１】
洗濯物を上方から出し入れするタイプの洗濯機の場合、出し入れ作業を行うための作業スペースを洗濯機の上方に確保する必要があるが、その作業スペースは、出し入れ作業を行わない時にはデッドスペースになってしまう。また、洗濯機を、洗濯物を前方から出し入れするタイプの洗濯機に取り替えた場合、その洗濯機の上方には作業スペースを確保する必要がなくなってしまう。
【００２２】
これに対して、第７の発明によれば、第２収納部に収納されている棚板を、洗濯機の上方に適宜設置することが可能であるため、洗濯機の上方スペースを、洗濯の作業状況や洗濯機のタイプなどに応じて、洗濯機から洗濯物を出し入れするための作業スペースと棚板の設置スペースとで使い分けることができる。このように、洗濯機及び第２収納棚の使い勝手を良くすることができる。
【００２３】
第８の発明では、第７の発明において、前記棚板は、互いに回動可能に連結された複数の板部を有しており、各板部は、当該棚板が前記第２収納部に収納されている場合には互いに重なった状態とされており、前記洗濯機の上に設置されている場合には横並びに配置された状態になっている。
【００２４】
第８の発明によれば、洗濯機の幅寸法に合わせて棚板の長さ寸法を適宜調整することができる。これにより、洗濯機の上方スペース全体を棚板の設置スペースとして有効利用することができる。
【図面の簡単な説明】
【００２５】
【図１】洗面室における洗濯機及び収納棚の配置を示す図
【図２】収納棚の構成を示す図
【図３】第２収納部を移動させた後の洗面室の平面図
【図４】別の収納棚の側面図
【図５】別の第２収納部の構成を示す図
【図６】（ａ）は別の第１収納部の斜視図、（ｂ）は別の洗面室の平面図
【発明を実施するための形態】
【００２６】
以下、本発明を具体化した一実施形態について図面を参照しつつ説明する。図１は洗面室１１における洗濯機１３及び収納棚１４の配置を示す図である。なお、図１においては、（ａ）に洗面室１１の平面図を示し、（ｂ）に収納棚１４の斜視図を示し、（ｃ）に（ａ）のＡ−Ａ線断面図を示しており、（ｃ）においては、引き出し２２の図示を省略しており、天板２４については取付部４５の断面図を示している。
【００２７】
図１（ａ）に示すように、建物１０は居住空間としての洗面室１１を有しており、その洗面室１１には、洗面台１２、洗濯機１３及び収納棚１４が設置されている。洗面室１１は、間仕切壁や外壁等の壁体１６により屋外空間や他の居住空間に対して仕切られており、壁体１６は、互いに対向する一対の対向壁部１７と、それら対向壁部１７を連結する連結壁部１８とを有している。
【００２８】
洗面台１２、洗濯機１３及び収納棚１４は、一対の対向壁部１７の間において連結壁部１８に沿って横並びに配置されている。収納棚１４は、一対の対向壁部１７のうち一方の対向壁部１７と洗濯機１３との間に配置されている。収納棚１４の幅寸法は、その収納棚１４を挟んで隣り合う洗濯機１３と対向壁部１７との離間距離よりも若干小さくされており、それら洗濯機１３と対向壁部１７との間の狭小スペースを収納棚１４の設置スペースとして有効利用している。
【００２９】
なお、洗濯機１３及び収納棚１４が設置されている居住空間は、洗面室１１ではなく脱衣室や洗濯室などとされていてもよい。また、洗面台１２は洗面台設備に相当する。
【００３０】
収納棚１４は、互いに横並びに配置された収納部１４ａ，１４ｂを有している。収納部１４ａ，１４ｂは、対向壁部１７と洗濯機１３との並び方向に沿って並べられており、収納部１４ａ，１４ｂのうち、第１収納部１４ａが対向壁部１７側に配置され、第２収納部１４ｂが洗濯機１３側に配置されている。この場合、第２収納部１４ｂは、第１収納部１４ａと洗濯機１３との間に配置されていることになる。
【００３１】
図１（ｂ），（ｃ）に示すように、収納部１４ａ，１４ｂは、洗面室１１の床部１９の上に設置されている。収納部１４ａ，１４ｂは、略直方体形状の収納本体２１と、収納本体２１から引き出される引き出し２２とをそれぞれ有している。収納本体２１は、天板２４と一対の側板部２５とを有しており、天板２４は一対の側板部２５により支持されている。一対の側板部２５は、所定間隔で互いに対向しており、天板２４はそれら側板部２５の上に設置されている。一対の側板部２５は横桟２６により連結されている。横桟２６は、一対の側板部２５の間に配置されており、それら側板部２５に架け渡された状態になっている。横桟２６は、収納本体２１の前面側及び背面側のそれぞれにおいて、上下方向に複数並べられている。
【００３２】
また、収納本体２１は、前面を形成する前板部２７と、後面（背面）を形成する後板部２８とを有している。後板部２８は、一対の側板部２５の間に配置されており、その側端面が側板部２５の板面に重ねられた状態で、ビス等により側板部２５に固定されている。これに対して、前板部２７は、一対の側板部２５の前方に配置されており、その板面が各側板部２５の側端面に重ねられた状態で、ビス等により側板部２５に固定されている。収納本体２１においては、底板が設けられておらず、その内部空間が下側に向けて開放されている。
【００３３】
収納部１４ａ，１４ｂにおいて、引き出し２２は、略直方体形状の箱体とされており、収納本体２１における一対の側板部２５の間に複数設けられている。各引き出し２２は、上下に並べられており、洗濯機１３と収納棚１４との並び方向に対して交差する方向に引き出すことが可能になっている。収納本体２１においては、前板部２７が天板２４から下方に離間した位置に配置されており、その離間部分を通じて各引き出し２２が収納本体２１の内部に入り込んだ状態になっている。
【００３４】
各引き出し２２は収納本体２１から引き出して手前側に取り外すことが可能になっており、各引き出し２２が取り外された場合、収納本体２１の内部空間が天板２４と前板部２７との間において手前側に向けて開放された状態になる。
【００３５】
収納部１４ａ，１４ｂにおいては、各収納本体２１が同じ大きさ及び形状とされている。例えば、各収納本体２１は、同じ高さ寸法を有しており、それぞれの天板２４は同じ高さ位置に配置されている。また、各収納本体２１は、同じ奥行き寸法及び幅寸法を有しており、それぞれの側板部２５、前板部２７及び後板部２８は同じ大きさ及び寸法とされている。なお、収納部１４ａ，１４ｂの各収納本体２１は、大きさ及び形状が異なっていてもよい。
【００３６】
建物１０には、洗濯機１３に水を供給するための給水設備３１と、洗濯機１３から排出された水を下水設備等に流す排水設備３２とが設けられている。洗濯機１３は、給水ホース３４を介して給水設備３１に接続されているとともに、排水ホース３５を介して排水設備３２に接続されている。給水ホース３４及び排水ホース３５は、合成樹脂材料などにより形成されており、可撓性を有する可撓管とされている。
【００３７】
給水設備３１は、洗濯機１３への給水の実行及び停止を切り替える給水栓３７と、給水栓３７に水を供給する給水設備配管３８とを有している。給水栓３７は、給水ホース３４を介して洗濯機１３の給水口に接続されており、給水栓３７から流れ出た水は、給水ホース３４を介して給水口から洗濯機１３の内部に供給される。給水栓３７は、給水ホース３４が接続された蛇口等のホース接続部３７ａと、給水設備配管３８が接続された配管接続部３７ｂとを有している。給水設備配管３８は、床部１９から上方に向けて立ち上げられている。
【００３８】
排水設備３２は、洗濯機１３から排出された水が流れ込む排水トラップ４１と、排水トラップ４１からの排水を下水設備に案内する排水設備配管４２とを有している。排水トラップ４１は、床埋め込みタイプの封水トラップであり、排水の一部を封水として溜めている。排水トラップ４１は、排水ホース３５が接続されたホース接続部４１ａと、排水設備配管４２が接続された配管接続部４１ｂとを有している。排水トラップ４１は、ホース接続部４１ａを床部１９の上側に露出させた状態で設置されている。
【００３９】
本実施形態では、排水トラップ４１の上方に第１収納部１４ａが設置されている。この場合、第１収納部１４ａは、排水トラップ４１のホース接続部４１ａ（排水設備３２と排水ホース３５との接続部分）と上下に重なる位置に配置されており、そのホース接続部４１ａを上方から覆った状態になっている。この場合、ホース接続部４１ａは、下方から第１収納部１４ａの内部空間に入り込んだ状態になっている。
【００４０】
ホース接続部４１ａに接続された排水ホース３５は、排水トラップ４１と洗濯機１３とに掛け渡された状態になっている。収納部１４ａ，１４ｂには、排水ホース３５を通すことが可能な通し部４３，４４が設けられている。排水ホース３５は、それら通し部４３，４４に挿通されており、それによって、洗濯機１３から第２収納部１４ｂの内部空間を通過して第１収納部１４ａの内部に入り込んだ状態で、ホース接続部４１ａに接続されている。通し部４３，４４のうち第１通し部４３は第１収納部１４ａに設けられており、第２通し部４４は第２収納部１４ｂに設けられている。第１通し部４３は、第１収納部１４ａにおいて一対の側板部２５のうち第２収納部１４ｂ側の側板部２５に形成されており、第２通し部４４は、第２収納部１４ｂにおいて一対の側板部２５のそれぞれに形成されている。
【００４１】
横並びに配置されている収納部１４ａ，１４ｂにおいては、互いの側板部２５が重なった状態になっている。この場合、第１収納部１４ａにおける第２収納部１４ｂ側の側板部２５と、第２収納部１４ｂにおける第１収納部１４ａ側の側板部２５とが板面同士で重ねられている。これら側板部２５に形成された第１通し部４３及び第２通し部４４は、収納部１４ａ，１４ｂの並び方向において重なった位置に配置されており、互いに連通された状態になっている。
【００４２】
また、第１収納部１４ａには給水栓３７が取り付けられている。給水栓３７は、住人等により操作される操作部３７ｃを有しており、操作部３７ｃが操作されることで給水の実行及び停止を切り替えることになる。給水栓３７は、操作部３７ｃを第１収納部１４ａの上側に露出させた状態で、天板２４に取り付けられている。
【００４３】
天板２４には、給水栓３７を取り付けるための取付部４５が設けられており、取付部４５は、天板２４を貫通する貫通孔４５ａを有している。ここで、第１収納部１４ａは、給水設備配管３８が床部１９から立ち上がっている部分に設置されており、給水設備配管３８は、下方から第１収納部１４ａの内部空間に入り込んだ状態になっている。また、給水栓３７は、配管接続部３７ｂが貫通孔４５ａを通じて収納本体２１の内部に入り込んだ状態で天板２４の上に設置されており、第１収納部１４ａの内部空間において、給水設備配管３８の上端部が給水栓３７の配管接続部３７ｂに接続されている。
【００４４】
上記のように、第２収納部１４ｂは、第１収納部１４ａとは異なり、排水トラップ４１とは上下に重ならない位置に配置されており、給水栓３７は第２収納部１４ｂに取り付けられていない。また、第１収納部１４ａは、給水設備３１の一部（給水栓３７）が取り付けられているなど、その設置位置を容易には変更することができないようになっているのに対して、第２収納部１４ｂはその設置位置を容易に変更することができるようになっている。
【００４５】
ここでは、収納部１４ａ，１４ｂの構成について、図２を参照しつつ詳細に説明する。図２は収納棚１４の構成を示す図であり、（ａ）に図１（ａ）のＢ−Ｂ線断面図を示し、（ｂ）に図１（ａ）のＣ−Ｃ線断面図を示している。
【００４６】
まず、第１収納部１４ａについて説明する。図２（ａ）に示すように、第１収納部１４ａは、給水設備配管３８の立ち上げ位置及び排水トラップ４１のホース接続部４１ａの両方に対して、上下に重なる位置に設置されている。ここで、第１収納部１４ａは、各引き出し２２を収納している引き出しスペース５１と、給水設備配管３８を設置することが可能な給水用スペース５２と、排水トラップ４１のホース接続部４１ａを下方から入り込ませることが可能な排水用スペース５３とを有している。これにより、第１収納部１４ａを給水設備配管３８の立ち上げ位置及びホース接続部４１ａの上側に設置することが可能になっている。
【００４７】
なお、第１収納部１４ａの排水用スペース５３が、排水設備３２と排水ホース３５との接続部分を収納する接続スペースに相当し、引き出しスペース５１が、物品を収納可能な物品スペースに相当する。
【００４８】
給水用スペース５２は、引き出しスペース５１の後方（奥側）に配置された後方スペースになっており、排水用スペース５３は、引き出しスペース５１の下方に配置された下方スペースになっている。引き出しスペース５１、給水用スペース５２及び排水用スペース５３は、収納本体２１の内部空間が分割されて定められた各空間部であり、一対の側板部２５の間に配置されている。
【００４９】
引き出しスペース５１は、収納本体２１の前面に沿って天板２４の下面から下方に向けて延びているとともに、天板２４に沿って収納本体２１の前面から奥側に向けて延びている。
【００５０】
排水用スペース５３は、引き出しスペース５１と上下に重ねて配置されており、平面視で引き出しスペース５１と同じ大きさ及び形状を有している。排水用スペース５３は、前板部２７の奥側に配置されており、その前板部２７と同じ又はそれよりも小さい高さ寸法を有している。
【００５１】
第１収納部１４ａにおいては、第１通し部４３が排水用スペース５３の側方に配置されている。第１通し部４３は、第１収納部１４ａの幅方向において引き出しスペース５１及び給水用スペース５２とは重ならない位置に形成されている。この場合、排水ホース３５は、引き出しスペース５１や給水用スペース５２を経由することなく、第１通し部４３を通じて排水用スペース５３に直接引き込まれている。第１通し部４３は、側板部２５に形成された開口部であり、例えば貫通孔とされている。
【００５２】
給水用スペース５２の位置は、引き出しスペース５１だけでなく排水用スペース５３の後方位置にもなっており、給水用スペース５２は、引き出しスペース５１及び排水用スペース５３に対して収納本体２１の前後方向に沿って横並びに配置されている。給水用スペース５２は、収納本体２１の背面（後板部２８）に沿って天板２４の下面から下方に向けて延びており、取付部４５から収納本体２１の下端（床面）まで達している。また、給水用スペース５２は、天板２４に沿って収納本体２１の背面側から手前側に向けて延びている。
【００５３】
収納本体２１において、前板部２７は、排水用スペース５３を手前側から覆った状態になっている。ここで、収納本体２１から最下段の引き出し２２が引き出して取り外された場合、排水用スペース５３は、天板２４と前板部２７との間の離間部分を通じて、第１収納部１４ａの前方に開放されることになる。この場合、作業者は、第１収納部１４ａが排水トラップ４１のホース接続部４１ａの上方に設置された状態のまま、ホース接続部４１ａに対する排水ホース３５の接続作業や接続解除作業などを行うことが可能となる。
【００５４】
なお、収納本体２１においては、前板部２７が開閉可能になっていてもよい。例えば、前板部２７が、一対の側板部２５に対して回動可能に軸支されており、上端が収納本体２１の外側に向けて倒れるように回動することで開状態に移行し、上端が起き上がるように回動することで閉状態に移行する構成とする。この場合、収納本体２１から最下段の引き出し２２を取り外さなくても、前板部２７を開状態にすることで、第１収納部１４ａの前方位置から排水用スペース５３にアクセスすることが可能になる。
【００５５】
次に、第２収納部１４ｂについて、第１収納部１４ａとの相違点を中心に説明する。図２（ｂ）に示すように、第２収納部１４ｂは、給水設備配管３８の立ち上げ位置及び排水トラップ４１のホース接続部４１ａの両方に対して、上下に重ならない位置に設置されている。この場合、第２収納部１４ｂにおいては、給水設備配管３８及びホース接続部４１ａが入り込んだ状態にはなっておらず、第２収納部１４ｂは、第１収納部１４ａと同様に引き出しスペース５１及び排水用スペース５３を有している一方で、給水用スペース５２を有していない。ここで、第２収納部１４ｂの排水用スペース５３には、ホース接続部４１ａは入り込んでいないが、排水ホース３５が通されている。
【００５６】
第２収納部１４ｂにおいては、給水用スペース５２がない分だけ、第１収納部１４ａに比べて引き出しスペース５１の奥行き寸法が大きくなっており、それに伴って、各引き出し２２の奥行き寸法が大きくなっている。
【００５７】
また、第２収納部１４ｂにおいては、各第２通し部４４が排水用スペース５３の側方に配置されている。第２通し部４４は、第２収納部１４ｂの幅方向において引き出しスペース５１とは重ならない位置に形成されている。この場合、排水ホース３５は、引き出しスペース５１を経由することなく、洗濯機１３側の第２通し部４４を通じて排水用スペース５３に直接引き込まれているとともに、第１収納部１４ａ側の第２通し部４４を通じて排水用スペース５３から直接引き出されている。この場合、第２収納部１４ｂの排水用スペース５３が、排水ホース３５を敷設可能なホーススペースに相当する。
【００５８】
各第２通し部４４は、それぞれ側板部２５に形成された開口部であり、側板部２５の下端から上方に向けて凹んでいる切り欠き部とされている。この場合、第２通し部４４は、下方に向けて開放されているため、例えば、第２通し部４４に排水ホース３５が挿通された状態のまま第２収納部１４ｂが上方に持ち上げられた場合に、排水ホース３５は第２通し部４４に引っ掛かった状態にならずに第２通し部４４から下方に離脱することになる。
【００５９】
第２収納部１４ｂには、第２通し部４４を閉鎖する閉鎖体５４が第２通し部４４ごとに設けられている。閉鎖体５４は、第２通し部４４を閉鎖する閉状態と、閉鎖しない開状態とに移行可能とされており、閉鎖体５４が開状態にある場合に、第２通し部４４に排水ホース３５を通すことが可能なっている。閉鎖体５４は、側板部２５に重ねた状態で配置された板部であり、その側板部２５に沿って第２収納部１４ｂの前後方向にスライド移動可能になっている。閉鎖体５４は、排水用スペース５３に配置されており、閉状態にある場合に第２通し部４４を第２収納部１４ｂの内側から閉鎖することになる。
【００６０】
図１（ｃ）の説明に戻り、第２収納部１４ｂにおける第１収納部１４ａ側の第２通し部４４は、第１収納部１４ａの第１通し部４３と連通しており、それら第２通し部４４と第１通し部４３とに排水ホース３５を通すことが可能になっている。これら第２通し部４４と第１通し部４３とは、収納棚１４の幅方向において重なる位置に配置されている。
【００６１】
第２収納部１４ｂの各第２通し部４４は、第２収納部１４ｂの幅方向において重なる位置に配置されている。したがって、これら第２通し部４４のそれぞれに排水ホース３５を挿通させることが容易になっている。なお、各第２通し部４４は、第２収納部１４ｂの幅方向において重ならない位置に配置されていてもよい。この場合でも、各第２通し部４４が排水用スペース５３を挟んで配置されていることに起因して、それら第２通し部４４のそれぞれに排水ホース３５を挿通させることは可能となる。
【００６２】
収納棚１４の使用方法について図１、図３を参照しつつ説明する。図３は第２収納部１４ｂを移動させた後の洗面室１１の平面図であり、（ａ）に洗濯機１３を移動させた場合を示し、（ｂ）に洗濯機１３を別の洗濯機５６に取り替えた場合を示す。
【００６３】
図１（ａ）においては、洗濯機１３と第１収納部１４ａとの間に第２収納部１４ｂが配置されていたが、図３（ａ）においては、第２収納部１４ｂの位置が洗濯機５６の反対側に変更され、洗濯機５６の位置が第１収納部１４ａ側に近付いた位置に変更されている。
【００６４】
洗濯機１３と第２収納部１４ｂとの取り替え作業に際して、作業者は、まず第２収納部１４ｂを上方に持ち上げることで、第２通し部４４から排水ホース３５を離脱させ、第２収納部１４ｂを洗濯機１３と第１収納部１４ａとの間の位置から手前側に引き出し、洗濯機１３の移動作業に支障とならない位置に仮置きする。なお、第２収納部１４ｂの移動に際して、排水トラップ４１に対する排水ホース３５の接続を解除する必要がないため、第２収納部１４ｂの移動作業を容易化できる。
【００６５】
その後、洗濯機１３を第１収納部１４ａ側に近付く位置に移動させる。この場合、洗濯機１３は、第２収納部１４ｂの幅寸法と同じ距離だけ洗面台１２から離間する。ここで、第２収納部１４ｂについて、各閉鎖体５４をスライド移動させることで閉状態に移行させ、その状態の第２収納部１４ｂを洗濯機１３と洗面台１２との間の離間部分に設置する。この場合、埃等が第２通し部４４を通じて第２収納部１４ｂ内に侵入することが閉鎖体５４により規制される。
【００６６】
図３（ｂ）においては、洗面台１２の隣に洗濯機１３とは別の洗濯機５６が設置されている。洗濯機５６の幅寸法は洗濯機１３よりも大きい幅寸法を有している。具体的には、図１（ａ）、図３（ｂ）に示すように、洗濯機５６の幅寸法をＷ１とし、洗濯機１３の幅寸法をＷ２とし、第２収納部１４ｂの幅寸法をＷ３とした場合に、Ｗ１≦Ｗ２＋Ｗ３となっており、洗濯機１３及び第２収納部１４ｂが設置されていた領域に洗濯機５６が設置されている。
【００６７】
洗濯機１３と洗濯機５６との取り替え作業に際して、作業者は、給水ホース３４及び排水ホース３５を給水栓３７及び排水トラップ４１からそれぞれ取り外し、洗濯機１３及び第２収納部１４ｂを第１収納部１４ａと洗面台１２との間から引き出す。そして、別の洗濯機５６を第１収納部１４ａと洗面台１２との間に設置する。この場合、第２収納部１４ｂ及び洗濯機１３のいずれを第１収納部１４ａと洗面台１２との間から引き出してもよいが、第２収納部１４ｂを先に引き出した場合には、排水トラップ４１から取り外した排水ホース３５を第２通し部４４から引き抜く作業を行わなくて済むため、洗濯機１３を先に引き出す場合に比べて作業負担が低減されることになる。
【００６８】
第２収納部１４ｂ及び洗濯機１３の撤去後、それら第１収納部１４ａと洗面台１２との間に別の洗濯機５６を設置する。そして、洗濯機５６を給水ホース３４及び排水ホース３５を介して給水栓３７及び排水トラップ４１のそれぞれに接続する。
【００６９】
なお、移動後の第２収納部１４ｂは、洗面室１１の他の位置や、他の居住空間に設置することが可能であり、その場合には、閉鎖体５４により第２通し部４４を閉鎖した状態とすることで、第２通し部４４により第２収納部１４ｂの外観が損なわれることを抑制できる。
【００７０】
以上詳述した本実施形態によれば、以下の優れた効果が得られる。
【００７１】
収納棚１４においては、第１収納部１４ａが給水栓３７の取付対象になっていることで移動させることができない一方で、第２収納部１４ｂが移動可能になっているため、第１収納部１４ａと洗濯機１３との間から第２収納部１４ｂを撤去することで、第１収納部１４ａと洗濯機１３との間のスペースを、新たに洗濯機の設置スペースとして利用することが可能となる。したがって、洗濯機１３の周辺にデッドスペースが生じることを抑制でき、しかも、洗濯機１３の移動や取り替えに適正に対応することができる。
【００７２】
第２収納部１４ｂの第２通し部４４は、下方に向けて開放された切り欠き部とされているため、第２通し部４４から排水ホース３５をあらかじめ引き抜いておかなくても、第２収納部１４ｂが上方に持ち上げられた場合に排水ホース３５が第２通し部４４から下方に離脱する。したがって、第２収納部１４ｂを第１収納部１４ａと洗濯機１３との間から引き出す作業を容易化できる。
【００７３】
収納部１４ａ，１４ｂにおいては、通し部４３，４４が排水用スペース５３に通じているため、排水ホース３５を引き出しスペース５１を経由せずに排水用スペース５３に直接引き込むことが可能になっている。このため、排水用スペース５３に敷設された排水ホース３５が引き出し２２の出し入れや物品の収納に際して支障になるということを回避できる。
【００７４】
第２収納部１４ｂにおいては、閉鎖体５４により第２通し部４４を閉鎖することが可能になっているため、第２収納部１４ｂが第１収納部１４ａと洗濯機１３との間から撤去されて別の場所に設置された場合に、第２通し部４４により第２収納部１４ｂの外観が損なわれることや、埃等が第２通し部４４を通じて第２収納部１４ｂ内に侵入することを抑制できる。
【００７５】
収納部１４ａ，１４ｂにおいて、収納本体２１から引き出し２２を取り外すことで、排水用スペース５３を前方から視認することができる。また、その状態で排水用スペース５３において排水設備３２や排水ホース３５に対するメンテナンス作業を容易に行うことができる。
【００７６】
第１収納部１４ａにおいては、引き出しスペース５１の奥側に給水用スペース５２が配置されているため、引き出し２２が収納本体２１の前後方向に目一杯には長くなっておらず、引き出し２２の最奥部分であっても物品を収納したり取り出したりすることを容易に行うことができる。
【００７７】
第１収納部１４ａ及び第２収納部１４ｂにおいては、引き出し２２を配置しても使い勝手が悪くなってしまうほど低い位置に排水用スペース５３が配置され、その上に引き出し２２が設置されているため、上下方向について収納部１４ａ，１４ｂの内部空間を有効利用することになる。
【００７８】
第１収納部１４ａにおいては、給水用スペース５２が上下方向に延びており、排水用スペース５３が前後方向に延びているため、洗濯機１３と第２収納部１４ｂとの間の隙間という幅の狭い狭小空間に設置されていても、給水用スペース５２及び排水用スペース５３を極力大きく確保することが可能となる。また、給水用スペース５２は収納本体２１の下端にまで達しているため、排水設備配管４２に加えて給水設備配管３８も床部１９から立ち上げることができる。さらに、排水用スペース５３が前後方向に延びているため、排水トラップ４１を収納本体２１における手前側に配置できる。これにより、排水トラップ４１に排水ホース３５を接続する作業を容易に行うことができる。
【００７９】
第１収納部１４ａにおいては、給水用スペース５２と排水用スペース５３とが前後に並べて配置されているため、これらスペース５２，５３が幅方向に並べられた場合に比べて、第１収納部１４ａの幅寸法を小さくすることができる。換言すれば、給水用スペース５２及び排水用スペース５３の各幅寸法を収納本体２１に合わせて目一杯大きくすることができる。これは、メンテナンスに際しての作業スペースを極力大きく確保することになるため、作業性を高めることができる。
【００８０】
［他の実施形態］
本発明は上記実施形態の記載内容に限定されず、例えば次のように実施されてもよい。
【００８１】
（１）上記実施形態では、第１収納部１４ａと洗濯機１３との間から引き出した第２収納部１４ｂは、第１収納部１４ａとは別の場所に設置されるとしたが、図４に示すように、第２収納部１４ｂは、第１収納部１４ａの上に設置されてもよい。この構成によれば、収納棚１４において、第１収納部１４ａと第２収納部１４ｂとの設置態様に関する自由度が高められることになるため、収納棚１４の使い勝手を良くすることができる。
【００８２】
この構成では、第２収納部１４ｂが第１収納部１４ａの上に設置された状態で、ユーザが手を差し入れることで給水栓３７の操作を可能とする差し入れ部が第２収納部１４ｂに設けられている。差し入れ部は、第２収納部１４ｂにおける洗濯機１３側の側板部２５に設けられている。
【００８３】
第２収納部１４ｂに差し入れ部が設けられている構成としては、図４（ａ）に示すように、側板部２５に操作用開口６１が形成された構成が挙げられる。操作用開口６１は、洗濯機１３側の側板部２５に設けられており、その側板部２５の下端から上方に向けて凹んだ切り欠き部とされている。第２収納部１４ｂは、閉鎖体５４とは別の閉鎖体を有しており、その閉鎖体により操作用開口６１を閉鎖可能になっている。このため、第２収納部１４ｂが第１収納部１４ａと横並びに配置されている場合には、操作用開口６１が閉鎖体により閉鎖されており、操作用開口６１から埃等が第２収納部１４ｂの内部に侵入するということを抑制できる。
【００８４】
また、第２収納部１４ｂに差し入れ部が設けられている構成としては、図４（ｂ）に示すように、第２収納部１４ｂの収納本体２１が、給水栓３７と上下に重なる位置には設けられていない構成が挙げられる。この構成では、第２収納部１４ｂの側板部２５の奥行き寸法が、第１収納部１４ａの側板部２５の奥行き寸法よりも小さく、第２収納部１４ｂが第１収納部１４ａに対して前面同士が同一面となる位置に配置されている。この場合、第２収納部１４ｂの側板部２５の奥側端部は、第１収納部１４ａの側板部２５の奥側端部よりも手前側に配置されており、それら奥側端部同士の間に給水栓３７が配置されている。このため、第２収納部１４ｂの側板部２５よりも奥側領域の全体が、側板部２５の設置されていない差し入れ部に相当する。
【００８５】
また、この構成では、第２収納部１４ｂの天板２４が、第１収納部１４ａの天板２４と同じ奥行き寸法を有している。この場合、第２収納部１４ｂにおいては、天板２４が側板部２５よりも奥側に突出しており、その突出部分の下方領域が、側板部２５の設置されていない差し入れ部に相当する。
【００８６】
（２）上記実施形態では、第２収納部１４ｂは、引き出し２２を収納していたが、図５（ａ）に示すように、第２収納部１４ｂは、その第２収納部１４ｂにより支持可能な棚板６５を収納していてもよい。この構成では、上記実施形態における引き出しスペース５１に相当する領域が、棚板６５を収納可能な棚板スペースとされており、その棚板スペースに棚板６５が上下方向に延びる状態で収納されている。この構成によれば、洗濯機１３の上方スペースを、洗濯機１３に洗濯物を出し入れする作業スペース、及び棚板６５の設置スペースとして適宜使い分けることが可能となり、洗濯機１３及び第２収納部１４ｂの使い勝手を良くすることができる。また、第２収納部１４ｂの高さ寸法は洗濯機１３の高さ寸法よりも大きくされている。加えて、第２収納部１４ｂの前面全体が前板部２７により形成されている。
【００８７】
第２収納部１４ｂが棚板６５を収納している構成としては、図５（ｂ）に示すように、第２収納部１４ｂの天板２４が開閉可能とされた構成が挙げられる。この構成では、天板２４が開放されることで棚板６５を上方に引き出すことが可能とされている。天板２４は、収納本体２１に対して回動可能に軸支されており、上側の隅角を通って第２収納部１４ｂの厚み方向に延びる軸線を中心に回動することで、収納本体２１から上方に引き出され、その後、第２収納部１４ｂの奥行き方向に延びる軸線を中心に回動することで、上下方向に延びる起立状態から左右方向に延びる水平状態に移行する。これにより、洗濯機１３の上方に棚板６５が設置される。
【００８８】
なお、この構成では、第２収納部１４ｂが、棚板６５を回動可能に軸支する軸支部を有しており、その軸支部が棚板６５を支持する支持部に相当する。
【００８９】
また、第２収納部１４ｂが棚板６５を収納している構成としては、図５（ｃ）に示すように、棚板６５が天板２４の上に設置される構成が挙げられる。この構成では、収納本体２１の前板部２７が開閉可能とされており、前板部２７を開放させることで棚板６５を手前側にスライド移動させて引き出すことが可能になっている。棚板６５は、複数の板部６５ａを有しており、それら板部６５ａは互いに回動可能に連結されている。棚板６５は、それら板部６５ａが互いに重なるように折り畳んだ状態で第２収納部１４ｂの内部に収納されており、各板部６５ａが横並びとなるように拡げた状態で天板２４の上に設置される。
【００９０】
第２収納部１４ｂは、天板２４の上に載せられた棚板６５を支持する支持部としての引っ掛け部６６を有している。引っ掛け部６６は、天板２４の上から上方に延びており、棚板６５の端部に上から引っ掛けられる引っ掛け部になっている。棚板６５は、天板２４の上に載せられた状態で、その棚板６５の一端が引っ掛け部６６に引っ掛けられることによりその引っ掛け部６６により支持されることになる。
【００９１】
棚板６５が天板２４の上に載せられる構成としては、図５（ｄ）に示すように、棚板６５が洗濯機１３を跨いで第２収納部１４ｂと対向壁部１７とに掛け渡された構成が挙げられる。この構成では、収納棚１４と対向壁部１７との間に洗濯機１３が設置されており、対向壁部１７には、棚板６５を載せるための載置部６７が設けられている。対向壁部１７には、洗面室１１側に向けて開放された凹部が設けられており、その凹部により載置部６７が形成されている。この構成では、第２収納部１４ｂの天板２４及び載置部６７が、棚板６５を支持する支持部を構成していることになる。
【００９２】
なお、棚板６５が洗濯機１３の上に設置される構成においては、洗濯機１３の上方に設置した状態の棚板６５の幅寸法が洗濯機１３の幅寸法よりも大きいことが好ましい。これにより、洗濯機１３の幅方向において、洗濯機１３の上方スペース全体を棚板６５の設置スペースとして有効利用することができる。
【００９３】
（３）第１収納部１４ａは、複数の部分に分割可能とされていてもよい。例えば、図６（ａ）に示すように、第１収納部１４ａが、給水栓３７が取り付けられた固定部分７１と、移動可能な可動部分７２とを有している構成とする。この構成では、固定部分７１と可動部分７２とが、第１収納部１４ａの奥行き方向に沿って横並びに配置されている。可動部分７２の収納本体２１には、床面に載置されたキャスター等の回転体７３が複数取り付けられており、それら回転体７３が回転することで可動部分７２が移動する。可動部分７２の内部空間は物品を収納する物品スペースとされており、側方に向けて開放されている。物品スペースは板材７４により上下に仕切られており、その板材の上に物品を載置することが可能になっている。
【００９４】
可動部分７２においては、収納本体２１が回転体７３により床面から上方に離間した位置に保持されており、その離間部分が、排水ホース３５を通すことが可能な第２通し部に相当する。
【００９５】
（４）第１収納部１４ａと洗濯機１３との間には、複数の第２収納部１４ｂが設置されていてもよい。例えば、図６（ｂ）に示すように、第１収納部１４ａと洗濯機１３との間に２つの第２収納部１４ｂが設置された構成とする。この構成では、洗濯機１３の移動や取り替えを行う場合に、その洗濯機１３の位置や幅寸法に合わせて撤去する第２収納部１４ｂの数を選択することで、洗濯機１３の設置可能なスペースの大きさをきめ細かく設定することができる。
【００９６】
（５）洗濯機１３と収納棚１４とが横並びに配置されていれば、洗濯機１３と洗面台１２とは横並びに配置されていなくてもよい。例えば、図６（ｃ）に示すように、対向壁部１７を挟んで配置された一対の連結壁部１８のうち、一方の連結壁部１８側に洗面台１２が設置され、他方の連結壁部１８側に洗濯機１３及び収納棚１４が設置された構成とする。この構成でも、上記実施形態と同様に、対向壁部１７と洗濯機１３との間に収納棚１４が設置されている。
【００９７】
また、図６（ｄ）に示すように、対向壁部１７側に洗面台１２が設置され、洗濯機１３及び収納棚１４が連結壁部１８側に設置された構成とする。この構成では、連結壁部１８と洗濯機１３との間に収納棚１４が設置されている。
【００９８】
さらに、収納棚１４は、対向壁部１７等の壁部と洗濯機１３との間ではなく、洗面台１２と洗濯機１３との間に設置されていてもよい。
【００９９】
（６）上記実施形態では、第２収納部１４ｂの第２通し部４４が切り欠き部とされていたが、第２通し部４４は貫通孔とされていてもよい。また、第１収納部１４ａの第１通し部４３が貫通孔とされていたが、第１通し部４３は側板部２５の下端から上方に向けて凹んだ切り欠き部であってもよい。要は、第１通し部４３及び第２通し部４４は、いずれも側板部２５に形成された開口部であればよい。さらに、第１通し部４３は、側板部２５の奥側部分に配置されていてもよく、１つの側板部２５に対して複数設けられていてもよい。同様に、第２通し部４４は、側板部２５の奥側部分に配置されていてもよく、１つの側板部２５に対して複数設けられていてもよい。
【０１００】
（７）第２収納部１４ｂにおいて、閉鎖体５４は、第２通し部４４を閉鎖可能であれば、上下方向にスライド移動可能とされていてもよく、上下方向に延びる回動軸を中心に回動可能に設けられていてもよい。また、閉鎖体５４は、第２収納部１４ｂの外側に設けられていてもよい。なお、閉鎖体５４は設けられていなくてもよい。
【０１０１】
（８）収納部１４ａ，１４ｂは、底板を有していてもよい。例えば、第１収納部１４ａが底板を有している場合、底板には排水トラップ４１のホース接続部４１ａを収納本体２１の内側に露出させるための開口が形成されていることが好ましい。
【０１０２】
（９）上記実施形態では、第１収納部１４ａにおいて、給水用スペース５２と排水用スペース５３とが前後に配置されていたが、左右に配置されていてもよい。例えば、第１収納部１４ａの幅方向において、給水用スペース５２が第２収納部１４ｂとは反対側に配置され、排水用スペース５３が第２収納部１４ｂ側に配置されている構成とする。この構成では、排水用スペース５３が収納本体２１の前面から背面まで延びており、収納本体２１の背面側の下端部付近において、給水用スペース５２と排水用スペース５３とが第１収納部１４ａの幅方向において横並びに配置されている。
【０１０３】
（１０）上記実施形態では、第１収納部１４ａにおいて、給水用スペース５２が天板２４から下方に向けて延びて収納本体２１の下端に達していたが、給水用スペース５２は収納本体２１の下端まで達していなくてもよい。例えば、排水用スペース５３が収納本体２１の下面の全体に沿って延びるように設けられ、給水用スペース５２が排水用スペース５３の上方に配置された構成とする。この構成では、給水設備配管３８は、床部１９から立ち上げられているのではなく、壁体１６から側方に向けて突出して設けられており、収納本体２１の側面や背面から給水用スペース５２に入り込んでいることが好ましい。
【０１０４】
（１１）収納部１４ａ，１４ｂにおいて、排水用スペース５３は、各収納本体２１の下端から上方に向けて延びて天板２４の下面に達していてもよい。なお、この場合、排水用スペース５３は、引き出しスペース５１の奥側に配置されていることが好ましい。
【０１０５】
（１２）第１収納部１４ａにおいて、引き出しスペース５１は、収納本体２１の前面から背面まで達するように延びていてもよい。この場合、引き出しスペース５１は、給水用スペース５２の下側において収納本体２１の背面まで延びていることが好ましい。つまり、給水用スペース５２の下側に引き出し２２が配置されていることが好ましい。
【０１０６】
（１３）収納部１４ａ，１４ｂにおいて、引き出しスペース５１は、収納本体２１の天板２４から下面まで達するように延びていてもよい。この場合、引き出しスペース５１は、排水用スペース５３の手前側において収納本体２１の下面まで延びていることが好ましい。つまり、排水用スペース５３の手前側に引き出し２２が配置されていることが好ましい。
【０１０７】
（１４）給水ホース３４は、給水栓３７を介さずに給水設備配管３８に直接接続されていてもよい。この場合、給水設備３１において給水設備配管３８の端部が給水接続部に相当することになる。同様に、排水ホース３５は、排水トラップ４１を介さずに排水設備配管４２に直接接続されていてもよい。この場合、排水設備３２において排水設備配管４２の端部が排水接続部に相当することになる。
【０１０８】
（１５）第１収納部１４ａは、建物１０の一部として設置された作り付けの収納部とされていてもよい。例えば、天板２４が壁体１６の下地フレーム等に連結されることで、壁体１６により支持された構成とする。
【０１０９】
（１６）排水トラップ４１は、床埋め込みタイプではなく、床上に設置されるタイプとされていてもよい。この場合、第１収納部１４ａの排水用スペース５３に排水トラップ４１が収容され、その排水トラップ４１に接続される排水設備配管４２が床下又は壁内から引き出されていることが好ましい。
【符号の説明】
【０１１０】
１０…建物、１３…洗濯機、１４…収納棚、１４ａ…第１収納部、１４ｂ…第２収納部、２４…支持部としての天板、２５…第１収納部の側板部、及び第２収納部の側板部、３２…排水設備、３４…給水ホース、３５…排水ホース、３７…給水栓、４３…第１通し部、４４…第２通し部、５１…物品スペースとしての引き出しスペース、５３…接続スペースとしての第１収納部の排水用スペース、及びホーススペースとしての第２収納部としての排水用スペース、５４…閉鎖体、６１…差し入れ部としての操作用開口、６５…棚板、６５ａ…板部、６６…支持部としての引っ掛け部、６７…支持部としての載置部。
【図１】
2014161569.tif 000003
【図２】
2014161569.tif 000004
【図３】
2014161569.tif 000005
【図４】
2014161569.tif 000006
【図５】
2014161569.tif 000007
【図６】
2014161569.tif 000008